(57)【特許請求の範囲】
【請求項１】
所定の記憶領域に印刷ジョブのデータを蓄積する複数の印刷制御装置と、所定のデータ伝送路を介して接続される画像処理装置であって、
所属範囲を定義する第１の所属情報により前記複数の印刷制御装置のそれぞれが所属する所属範囲を管理し、１以上の第１の所属情報を包含した所属範囲を定義する第２の所属情報により前記１以上の第１の所属情報を管理する所属管理情報に基づき、印刷ジョブ一覧の表示情報を取得する接続先の印刷制御装置を決定する接続先制御手段と、
前記接続先制御手段により決定された前記接続先の印刷制御装置から取得した前記印刷ジョブ一覧の表示情報に基づき、印刷ジョブ一覧を表示手段に表示させる表示制御手段と、
接続先を再設定して印刷ジョブ一覧の再表示を要求する接続先再設定要求を受け付ける受付手段と、を有し、
前記接続先制御手段は、
前記第１の所属情報に所属する前記印刷制御装置を接続先として決定した後に、前記接続先再設定要求を受け付けた場合に、該第１の所属情報を包含する第２の所属情報を特定し、特定した第２の所属範囲が包含する前記１以上の第１の所属情報に所属する１以上の印刷制御装置を接続先として決定する画像処理装置。
【請求項２】
前記第１の所属情報により利用者の所属する所属範囲を管理する利用者管理情報に基づき、前記画像処理装置を利用する利用者が所属する前記第１の所属情報を取得する取得手段を有し、
前記接続先制御手段は、前記所属管理情報に基づき、前記取得手段により取得された前記第１の所属情報に配置された前記印刷制御装置を接続先の印刷制御装置として決定することを特徴とする請求項１に記載の画像処理装置。
【請求項３】
前記接続先制御手段は、
前記第１の所属情報に所属する前記印刷制御装置を接続先として決定した後に、前記接続先再設定要求を受け付けた場合に、該第１の所属情報に所属する印刷制御装置を除き、前記特定した第２の所属範囲が包含する前記１以上の第１の所属情報に所属する１以上の印刷制御装置を接続先として決定する請求項１又は２に記載の画像処理装置。
【請求項４】
前記接続先制御手段は、接続先として決定する印刷制御装置が存在しないと判定した場合に、所定のエラー処理を実行する請求項１乃至３のいずれか１項に記載の画像処理装置。
【請求項５】
前記所属管理情報は、前記第１の所属情報を第１階層とし、前記第２の所属情報を第２階層とした場合に、複数の階層数で前記印刷制御装置の所属を管理し、
前記接続先制御手段は、
特定の階層に所属する前記印刷制御装置を接続先として決定した後に、前記接続先再設定要求を受け付けた場合に、該特定の階層の所属範囲を包含する該特定の階層よりも上位の階層を特定し、特定した上位の階層に所属する１以上の印刷制御装置を接続先として決定する請求項１乃至４のいずれか１項に記載の画像処理装置。
【請求項６】
所定の記憶領域に印刷ジョブのデータを蓄積する複数の印刷制御装置と、所定のデータ伝送路を介して接続される画像処理装置における印刷制御方法であって、
所属範囲を定義する第１の所属情報により前記複数の印刷制御装置のそれぞれが所属する所属範囲を管理し、１以上の第１の所属情報を包含した所属範囲を定義する第２の所属情報により前記１以上の第１の所属情報を管理する所属管理情報に基づき、印刷ジョブ一覧の表示情報を取得する接続先の印刷制御装置を決定する接続先制御手順と、
前記接続先制御手順により決定された前記接続先の印刷制御装置から取得した前記印刷ジョブ一覧の表示情報に基づき、印刷ジョブ一覧を表示手段に表示させる表示制御手順と、
接続先を再設定して印刷ジョブ一覧の再表示を要求する接続先再設定要求を受け付ける受付手順と、を有し、
前記接続先制御手順は、
前記第１の所属情報に所属する前記印刷制御装置を接続先として決定した後に、前記接続先再設定要求を受け付けた場合に、該第１の所属情報を包含する第２の所属情報を特定し、特定した第２の所属範囲が包含する前記１以上の第１の所属情報に所属する１以上の印刷制御装置を接続先として決定する印刷制御方法。
【請求項７】
前記第１の所属情報により利用者の所属する所属範囲を管理する利用者管理情報に基づき、前記画像処理装置を利用する利用者が所属する前記第１の所属情報を取得する取得手順を有し、
前記接続先制御手順は、前記所属管理情報に基づき、前記取得手順により取得された前記第１の所属情報に配置された前記印刷制御装置を接続先の印刷制御装置として決定することを特徴とする請求項６に記載の印刷制御方法。
【請求項８】
前記接続先制御手順は、
前記第１の所属情報に所属する前記印刷制御装置を接続先として決定した後に、前記接続先再設定要求を受け付けた場合に、該第１の所属情報に所属する印刷制御装置を除き、前記特定した第２の所属範囲が包含する前記１以上の第１の所属情報に所属する１以上の印刷制御装置を接続先として決定する請求項６又は７に記載の印刷制御方法。
【請求項９】
前記接続先制御手順は、接続先として決定する印刷制御装置が存在しないと判定した場合に、所定のエラー処理を実行する請求項６乃至８のいずれか１項に記載の印刷制御方法。
【請求項１０】
前記所属管理情報は、前記第１の所属情報を第１階層とし、前記第２の所属情報を第２階層とした場合に、複数の階層数で前記印刷制御装置の所属を管理し、
前記接続先制御手順は、
特定の階層に所属する前記印刷制御装置を接続先として決定した後に、前記接続先再設定要求を受け付けた場合に、該特定の階層の所属範囲を包含する該特定の階層よりも上位の階層を特定し、特定した上位の階層に所属する１以上の印刷制御装置を接続先として決定する請求項６乃至９のいずれか１項に記載の印刷制御方法。
【請求項１１】
所定の記憶領域に印刷ジョブのデータを蓄積する複数の印刷制御装置と、所定のデータ伝送路を介して接続される印刷制御プログラムであって、
所属範囲を定義する第１の所属情報により前記複数の印刷制御装置のそれぞれが所属する所属範囲を管理し、１以上の第１の所属情報を包含した所属範囲を定義する第２の所属情報により前記１以上の第１の所属情報を管理する所属管理情報に基づき、印刷ジョブ一覧の表示情報を取得する接続先の印刷制御装置を決定する接続先制御手段と、
前記接続先制御手段により決定された前記接続先の印刷制御装置から取得した前記印刷ジョブ一覧の表示情報に基づき、印刷ジョブ一覧を表示手段に表示させる表示制御手段と、
接続先を再設定して印刷ジョブ一覧の再表示を要求する接続先再設定要求を受け付ける受付手段として機能し、
前記接続先制御手段は、
前記第１の所属情報に所属する前記印刷制御装置を接続先として決定した後に、前記接続先再設定要求を受け付けた場合に、該第１の所属情報を包含する第２の所属情報を特定し、特定した第２の所属範囲が包含する前記１以上の第１の所属情報に所属する１以上の印刷制御装置を接続先として決定する印刷制御プログラム。
【請求項１２】
前記第１の所属情報により利用者の所属する所属範囲を管理する利用者管理情報に基づき、画像処理装置を利用する利用者が所属する前記第１の所属情報を取得する取得手段を有し、
前記接続先制御手段は、前記所属管理情報に基づき、前記取得手段により取得された前記第１の所属情報に配置された前記印刷制御装置を接続先の印刷制御装置として決定することを特徴とする請求項１１に記載の印刷制御プログラム。
【請求項１３】
前記接続先制御手段は、
前記第１の所属情報に所属する前記印刷制御装置を接続先として決定した後に、前記接続先再設定要求を受け付けた場合に、該第１の所属情報に所属する印刷制御装置を除き、前記特定した第２の所属範囲が包含する前記１以上の第１の所属情報に所属する１以上の印刷制御装置を接続先として決定する請求項１１又は１２に記載の印刷制御プログラム。
【請求項１４】
前記接続先制御手段は、接続先として決定する印刷制御装置が存在しないと判定した場合に、所定のエラー処理を実行する請求項１１乃至１３のいずれか１項に記載の印刷制御プログラム。
【請求項１５】
前記所属管理情報は、前記第１の所属情報を第１階層とし、前記第２の所属情報を第２階層とした場合に、複数の階層数で前記印刷制御装置の所属を管理し、
前記接続先制御手段は、
特定の階層に所属する前記印刷制御装置を接続先として決定した後に、前記接続先再設定要求を受け付けた場合に、該特定の階層の所属範囲を包含する該特定の階層よりも上位の階層を特定し、特定した上位の階層に所属する１以上の印刷制御装置を接続先として決定する請求項１１乃至１４のいずれか１項に記載の印刷制御プログラム。
【請求項１６】
請求項１１乃至１５のいずれか１項に記載のプログラムを記憶した、コンピュータが読み取り可能な記録媒体。
【発明の詳細な説明】
【技術分野】
【０００１】
本発明は、画像処理装置が印刷制御サーバに蓄積された印刷ジョブを取得し、印刷するプルプリントシステムに関するものである。
【背景技術】
【０００２】
例えば、特許文献１には、印刷制御サーバを有するプルプリントシステムが開示されている。
【０００３】
利用者は、印刷するプリンタを想定せず、印刷制御サーバに印刷ジョブを蓄積しておき、出向いた先に設置されたプリンタから、蓄積しておいた印刷ジョブを実行できる。つまり、このシステムでは、利用者に対して、ロケーションフリーによる印刷サービスを提供できる。
【発明の概要】
【発明が解決しようとする課題】
【０００４】
しかしながら、従来のシステムでは、利用者が、プリンタに表示された印刷ジョブ一覧から、実行したい印刷ジョブを選択できない場合があった。
【０００５】
従来では、プリンタから接続する印刷制御サーバ（接続先）を、システム内の複数の印刷制御サーバ（蓄積先）の中から管理者が選択設定し、一意に決めている。そのため、プリンタに表示される印刷ジョブ一覧には、設定された接続先の印刷ジョブしか表示されない。そのため、設定された接続先に、利用者の印刷ジョブが蓄積された印刷制御サーバが含まれていなければ、利用者が、印刷ジョブ一覧から、実行したい印刷ジョブを選択することができない。
【０００６】
そこで、利用者側と管理者側とにおいて、次のような対処法が考えられる。利用者側では、印刷物を受け取るプリンタが接続する印刷制御サーバに対して、印刷ジョブを蓄積する方法がある。また、管理者側では、利用者からの対応要求に応じて、プリンタの接続先設定を変更する方法がある。しかし、これらの対処法は、利用者や管理者に煩雑な作業を強いるものであり、システム内の構成機器の台数（プリンタや印刷制御サーバの台数）が多くなると（大規模なシステムになると）、利用者単位や管理者単位での対処が困難となる。
【０００７】
なお、プリンタの接続先として、システム内の全ての印刷制御サーバを設定することが考えられる。しかし、多くの印刷制御サーバを有するシステムの場合には、印刷ジョブ一覧表示時の両装置間でやり取りされる通信量が増大することが考えられ、ネットワーク負荷が懸念される。そのため、従来では、利用頻度が高いと想定される特定の印刷制御サーバを接続先として設定している。
【０００８】
このように、従来のシステムには、プリンタから接続する印刷制御サーバを管理者が設定しているため、印刷サービスの利便性やシステム運用・管理の簡便性などに影響を及ぼす問題があった。
【０００９】
本発明は上記従来技術の問題点を鑑み提案されたものであり、印刷ジョブの蓄積先が複数存在する場合でも、利用者が所望する印刷ジョブを実行できる画像処理装置、印刷制御システム、印刷制御方法、印刷制御プログラム、及びそのプログラムを記録した記録媒体を提供することにある。
【課題を解決するための手段】
【００１０】
上記目的を達成するため、本発明に係る画像処理装置は、所定の記憶領域に蓄積された印刷ジョブのデータを当該装置に送信する複数の印刷制御装置と、所定のデータ伝送路を介して接続される画像処理装置であって、蓄積印刷の実行要求を受け付ける受付手段と、実行要求を受け付けた利用者を識別する利用者識別情報に基づき、前記複数の印刷制御装置の中から、印刷ジョブ一覧の表示情報を取得する際に接続する印刷制御装置を決定し、接続先を切り替える制御手段と、前記接続先として決定された印刷制御装置から取得した前記利用者の印刷ジョブに関する情報に基づき、前記印刷ジョブ一覧を表示し、前記印刷ジョブ一覧を介して選択指定された印刷ジョブのデータを、前記印刷制御装置から取得する取得手段と、取得された印刷ジョブのデータに基づき、印刷を実行する実行手段と、を有している。
【００１１】
このような構成によって、本発明に係る画像処理装置は、利用者に応じて、印刷ジョブを蓄積する印刷制御装置への接続を切り替える。その結果、画像処理装置は、適切な印刷制御装置から取得した印刷ジョブの情報に基づき、印刷ジョブ一覧を表示し、利用者から実行要求された印刷ジョブを印刷制御装置から取得し、取得した印刷ジョブを実行する。
【００１２】
これによって、本発明に係る画像処理装置では、印刷ジョブを蓄積する印刷制御装置が複数存在する場合でも、利用者が実行したい印刷ジョブを選択でき、所望する印刷ジョブを実行できる。
【００１３】
上記目的を達成するため、本発明に係る印刷制御方法は、所定の記憶領域に蓄積された印刷ジョブのデータを当該装置に送信する複数の印刷制御装置と、所定のデータ伝送路を介して接続される画像処理装置における印刷制御方法であって、蓄積印刷の実行要求を受け付ける受付手順と、前記受付手順により実行要求を受け付けた利用者を識別する利用者識別情報に基づき、前記複数の印刷制御装置の中から、印刷ジョブ一覧の表示情報を取得する際に接続する印刷制御装置を決定し、接続先を切り替える制御手順と、前記制御手順により前記接続先として決定された印刷制御装置から取得した前記利用者の印刷ジョブに関する情報に基づき、前記印刷ジョブ一覧を表示し、前記印刷ジョブ一覧を介して選択指定された印刷ジョブのデータを、前記印刷制御装置から取得する取得手順と、前記取得手順により取得された印刷ジョブのデータに基づき、印刷を実行する実行手順と、を有している。
【００１４】
このような手順によって、本発明に係る印刷制御方法は、利用者に応じて、印刷ジョブを蓄積する印刷制御装置への接続を切り替え、適切な印刷制御装置から取得した印刷ジョブの情報に基づき、印刷ジョブ一覧を表示し、利用者から実行要求された印刷ジョブを印刷制御装置から取得し、取得した印刷ジョブを実行すると言う動作を実現する。
【００１５】
これによって、本発明に係る印刷制御方法では、印刷ジョブを蓄積する印刷制御装置が複数存在する場合でも、利用者が実行したい印刷ジョブを選択でき、所望する印刷ジョブを実行可能な環境を提供できる。
【発明の効果】
【００１６】
本発明によれば、利用者に応じて、印刷ジョブを蓄積する印刷制御装置への接続を切り替え、適切な印刷制御装置から印刷ジョブ一覧の表示情報を取得することで、印刷ジョブの蓄積先が複数存在する場合でも、利用者が所望する印刷ジョブを実行可能な画像処理装置、印刷制御システム、印刷制御方法、印刷制御プログラム、及びそのプログラムを記録した記録媒体を提供することができる。
【図面の簡単な説明】
【００１７】
【図１】本発明の第１の実施形態に係る印刷制御システムの構成例を示す図である。
【図２】本発明の第１の実施形態に係る画像処理装置のハードウェア構成例を示す図である。
【図３】本発明の第１の実施形態に係る印刷制御システムの機能構成例を示す図である。
【図４】本発明の第１の実施形態に係る利用者管理情報のデータ例を示す図である。
【図５】本発明の第１の実施形態に係る蓄積先管理情報のデータ例を示す図である。
【図６】本発明の第１の実施形態に係る印刷制御の処理手順例を示すシーケンス図である。
【図７】本発明の変形例に係る印刷制御システムの構成例を示す図である。
【図８】本発明の変形例に係る印刷制御システムの機能構成例を示す図である。
【図９】本発明の変形例に係る印刷制御の処理手順例を示すシーケンス図である。
【図１０】本発明の第２の実施形態に係る蓄積先管理情報のデータ例を示す図である。
【図１１】本発明の第２の実施形態に係る印刷制御の処理手順例を示すフローチャートである。
【図１２】本発明の第３の実施形態に係る印刷制御システムの構成例を示す図である。
【図１３】本発明の第３の実施形態に係る印刷制御システムの機能構成例を示す図である。
【図１４】本発明の第３の実施形態に係る蓄積ログのデータ例を示す図である。
【図１５】本発明の第３の実施形態に係る印刷制御の処理手順例を示すシーケンス図である。
【発明を実施するための形態】
【００１８】
以下、本発明の好適な実施の形態（以下「実施形態」と言う）について、図面を用いて詳細に説明する。
【００１９】
［第１の実施形態］
＜システム構成＞
図１は、本実施形態に係る印刷制御システム１の構成例を示す図である。
図１には、１又は複数の画像処理装置１００１〜１００ｎ（以降総称する場合「画像処理装置１００」と言う）と、１又は複数の印刷制御装置（印刷制御サーバ）２００１〜２００ｎ（以降総称する場合「印刷制御装置２００」と言う）と、１又は複数の端末（情報処理装置）３００１〜３００ｎ（以降総称する場合「端末３００」と言う）とが、ネットワークなどのデータ伝送路Ｎ（例えば「ＬＡＮ：Local Area Network」）で接続されるシステム構成例が示されている。
【００２０】
画像処理装置１００は、画像処理機能を有する機器であり、例えば、ＭＦＰ（Multifunction Peripheral）やＬＰ（Laser Printer）などの印刷装置である。印刷制御装置２００は、プルプリントを実現する印刷制御機能を有する機器であり、例えば、ＰＣ（Personal Computer）などの情報処理装置である。端末３００は、印刷ジョブの生成・送信を実現する情報処理機能を有する機器であり、例えば、ＰＣなどの情報処理装置である。
【００２１】
本実施形態に係る印刷制御システム１では、利用者に対して、次のような印刷サービスが提供される。例えば、端末３００から印刷制御装置２００に対して、印刷ジョブが送信されると、印刷制御装置２００は、受信した印刷ジョブを所定の記憶領域に格納し蓄積する。一方、画像処理装置１００は、利用者から印刷ジョブの実行要求を受け付けると、印刷制御装置２００から、実行指示された該当印刷ジョブを取得し、取得した印刷ジョブを実行する。これにより、利用者は、所望する印刷結果を得る。
【００２２】
＜ハードウェア構成＞
図２は、本実施形態に係る画像処理装置１００のハードウェア構成例を示す図である。なお、図２には、画像処理装置１００がＭＦＰであった場合の例が示されている。
図２に示すように、画像処理装置１００は、コントローラ１１０、操作パネル１２０、プロッタ１３０、及びスキャナ１４０などを備え、それぞれが相互にバスＢで接続されている。
【００２３】
操作パネル１２０は、表示部及び入力部を備えており、機器情報などの各種情報をユーザに提供したり、動作設定や動作指示などの各種ユーザ操作を受け付けたりする。プロッタ１３０は、画像形成部を備えており、用紙に出力画像を形成する。出力画像を形成する方式には、例えば、電子写真プロセスやインクジェット方式などがある。スキャナ１４０は、原稿を光学的に読み取り、読み取り画像を生成する。
【００２４】
コントローラ１１０は、ＣＰＵ（Central Processing Unit）１１１、記憶装置１１２、ネットワークＩ／Ｆ１１３、及び外部記憶Ｉ／Ｆ１１４などを備えており、それぞれが相互にバスＢで接続されている。
【００２５】
ＣＰＵ１１１は、プログラムを実行することで装置全体を制御する。また、記憶装置１１２は、上記プログラムや各種データ（例えば「画像データ」）を格納し保持する。記憶装置２１２には、例えば、揮発性のメモリであるＲＡＭ（Random Access Memory）、不揮発性のメモリであるＲＯＭ（Read Only Memory）、及び大容量の記憶領域を備えたＨＤＤ（Hard Disk Drive）などがある。ＲＡＭは、ＣＰＵ１１１のワークエリア（プログラムやデータが一時的に読み出される記憶エリア）として機能する。ＲＯＭやＨＤＤは、プログラムや各種データの格納先として用いられる。これにより、画像処理装置１００では、ＣＰＵ１１１がＲＯＭに格納されたプログラムをＲＡＭ上に読み出し、プログラムを実行する。
【００２６】
ネットワークＩ／Ｆ１１３は、画像処理装置１００をネットワークなどの所定のデータ伝送路Ｎに接続するためのインタフェースである。これにより、画像処理装置１００は、ネットワークＩ／Ｆ１１３を介して、印刷制御装置２００とデータ通信を行うことができる。
【００２７】
外部記憶Ｉ／Ｆ１１４は、外部記憶装置にあたる記録媒体１１４ａを接続するためのインタフェースである。記録媒体１１４ａには、例えば、ＳＤメモリカード（SD memory card）やＵＳＢメモリ（Universal Serial Bus memory）などがある。これにより、画像処理装置１００は、外部記憶Ｉ／Ｆ１１４を介して、記録媒体１１４ａの読み取り及び／又は書き込みを行うことができる。
【００２８】
以上のように、本実施形態に係る画像処理装置１００では、上記ハードウェア構成により、各種画像処理サービス（画像処理機能）を提供することができる。
【００２９】
＜印刷制御機能＞
本実施形態に係る印刷制御機能について説明する。
本実施形態に係る画像処理装置１００では、利用者を識別する情報（以下「利用者識別情報」と言う）に基づき、印刷ジョブが蓄積された複数の印刷制御装置２００の中から、利用者に提供する印刷ジョブ一覧の表示情報を取得する印刷制御装置２００を決定する。つまり、画像処理装置１００は、印刷ジョブ一覧の表示情報取得の際に当該装置から接続する印刷制御装置２００（接続先）を、利用者に応じて切替制御する。その結果、画像処理装置１００では、接続先である印刷制御装置２００から取得した印刷ジョブの情報に基づき、印刷ジョブ一覧が表示される。画像処理装置１００では、印刷ジョブ一覧を介して、利用者から印刷ジョブの実行要求を受け付けると、実行要求された印刷ジョブを印刷制御装置２００から取得し、取得した印刷ジョブを実行する。本実施形態に係る画像処理装置１００は、このような印刷制御機能を有している。
【００３０】
従来のプルプリントを行う印刷制御システム１では、利用者が、画像処理装置１００に表示された印刷ジョブ一覧から、実行したい印刷ジョブを選択できない場合があった。これは、印刷ジョブ一覧の表示情報取得の際に接続する印刷制御装置２００が、画像処理装置１００ごとに一意に決められており、表示される印刷ジョブ一覧には、決められた印刷制御装置２００の印刷ジョブしか表示されないからである。
【００３１】
そこで、本実施形態に係る画像処理装置１００は、利用者に応じて、印刷ジョブを蓄積する印刷制御装置２００への接続を切り替え、適切な印刷制御装置２００から印刷ジョブ一覧の表示情報を取得する仕組みとした。
【００３２】
これにより、本実施形態に係る画像処理装置１００では、印刷ジョブを蓄積する印刷制御装置２００が複数存在する場合でも、利用者が実行したい印刷ジョブを選択でき、所望する印刷ジョブを実行できる。
【００３３】
以下に、本実施形態に係る印刷制御機能の構成とその動作について説明する。
図３は、本実施形態に係る印刷制御システム１の機能構成例を示す図である。
図３に示すように、印刷制御システム１は、端末３００が、印刷ジョブ送信部３１を有し、印刷制御装置２００が、印刷ジョブ受信部２１及び印刷ジョブ管理部２２などを有し、画像処理装置１００が、ログイン管理部４１、蓄積先管理部４３、蓄積印刷制御部４５、及び印刷実行部４６などを有している。
【００３４】
《端末及び印刷制御装置が有する各機能部》
印刷ジョブ送信部３１は、端末３００で生成した印刷ジョブを、印刷制御装置２００に送信する機能部である。例えば、印刷ジョブ送信部３１は、プリンタドライバなどのデータ変換ソフトウェアを介して生成された印刷ジョブを、印刷制御装置２００へと送信する。なお、利用者は、印刷ジョブの送信先を所定のツールを介して指定可能である。よって、印刷ジョブ送信部３１は、印刷ジョブを、利用者から指定された印刷制御装置２００に送信する。
【００３５】
このように、端末３００では、印刷ジョブが生成され、生成された印刷ジョブが印刷制御装置２００へと送信される。
【００３６】
印刷ジョブ受信部２１は、端末３００から送信された印刷ジョブを受信する機能部である。
【００３７】
印刷ジョブ管理部２２は、要求に応じたデータ操作を行い、印刷ジョブを管理する機能部である。データ操作には、例えば、データ登録（格納）、削除（消去）、変更（上書き）、参照・検索（特定）、及び取得などがある。印刷ジョブ管理部２２は、印刷ジョブを保持する（印刷ジョブが蓄積される）印刷ジョブ保持部２３にアクセスし、これらのデータ操作を行うことで、印刷ジョブを管理する。なお、印刷ジョブ保持部２３は、印刷制御装置２００が備える記憶装置（例えば「ＨＤＤ」）の所定の記憶領域にあたり、ファイルシステムやＤＢ（Data Base）などによりデータを保持する。
【００３８】
例えば、印刷ジョブ管理部２２は、印刷ジョブ受信部２１から印刷ジョブの登録要求を受け付けると、印刷ジョブ保持部２３にアクセスし、受信した印刷ジョブを、所定の記憶領域に格納するデータ操作を行う。これにより、印刷制御装置２００には、端末３００から受信した印刷ジョブが蓄積される。
【００３９】
また、印刷ジョブ管理部２２は、画像処理装置１００から印刷ジョブ一覧の情報取得要求を受け付けると、印刷ジョブ保持部２３にアクセスし、要求時に指定された利用者識別情報に基づき、利用者が登録（蓄積）した印刷ジョブの情報を取得するデータ操作を行う。これにより、印刷制御装置２００からは、画像処理装置１００に対して、利用者の印刷ジョブ一覧の表示情報が提供される。
【００４０】
また、印刷ジョブ管理部２２は、画像処理装置１００から印刷ジョブの取得要求を受け付けると、印刷ジョブ保持部２３にアクセスし、要求時に指定された印刷ジョブを識別する情報（以下「印刷ジョブ識別情報」と言う）に基づき、該当する印刷ジョブを取得するデータ操作を行う。これにより、印刷制御装置２００からは、画像処理装置１００に対して、印刷ジョブが提供される。
【００４１】
このように、印刷制御装置２００では、端末３００から受信した印刷ジョブが記憶領域に蓄積され、蓄積された印刷ジョブが画像処理装置１００へと提供される。
【００４２】
《画像処理装置が有する各機能部》
ログイン管理部４１は、利用者の機器ログインを管理する機能部である。ログイン管理部４１は、利用者管理情報保持部４２にアクセスし、利用者からログイン時に受け取ったログイン情報に基づき、利用者の管理情報（以下「利用者管理情報」と言う）を参照することで、機器ログインを管理する。なお、利用者管理情報保持部４２は、画像処理装置１００が備える記憶装置（例えば「ＨＤＤ」）の所定の記憶領域にあたり、ファイルシステムやＤＢなどによりデータを保持する。また、ログイン情報の受付は、例えば、操作パネル１２０に表示されたログイン画面からの押下入力検知や、外部記憶Ｉ／Ｆ１１４による認証カードからのデータ読取などにより行える。
【００４３】
図４は、本実施形態に係る利用者管理情報４２Ｄのデータ例を示す図である。
図４には、利用者識別、連絡先、及び所属などの各情報項目の項目値が、利用者ごとに対応付けて管理される利用者管理情報４２Ｄのデータ例が示されている。
【００４４】
［利用者識別］項目は、利用者を識別する情報項目（利用者識別情報の項目）であり、項目値は、例えば、利用者名の文字列値や利用者ＩＤの数値（利用者に対してユニークに割り当てられた数値）などがある。また、［連絡先］項目は、利用者の連絡先を示す情報項目（連絡先情報の項目）であり、項目値は、例えば、電子メールアドレスの文字列値や、ＦＡＸ番号及び電話番号の数値などがある。また、［所属］項目は、利用者の所属を示す（利用者が属するエリアを示す）情報項目（所属情報の項目）であり、項目値は、例えば、組織名や地域名の文字列値などがある。
【００４５】
例えば、ログイン管理部４１は、利用者管理情報保持部４２にアクセスし、利用者のログイン情報に含まれる利用者識別情報に基づき、ログインした利用者の管理情報（［連絡先］項目や［所属］項目の項目値）を取得する。
【００４６】
蓄積先管理部４３は、印刷ジョブの蓄積先を管理する機能部である。蓄積先管理部４３は、蓄積先管理情報保持部４４にアクセスし、利用者の所属情報に基づき、利用者の所属先に配置された印刷制御装置２００の管理情報（以下「蓄積先管理情報」と言う）を参照することで、蓄積先を管理する。なお、蓄積先管理情報保持部４４は、画像処理装置１００が備える記憶装置（例えば「ＨＤＤ」）の所定の記憶領域にあたり、ファイルシステムやＤＢなどによりデータを保持する。
【００４７】
図５は、本実施形態に係る蓄積先管理情報４４Ｄのデータ例を示す図である。
図５には、所属及び蓄積先などの各情報項目の項目値が、所属（利用者が属するエリア）ごとに対応付けて管理される蓄積先管理情報４４Ｄのデータ例が示されている。
【００４８】
［所属］項目は、利用者管理情報４２Ｄと同様に、利用者の所属を示す情報項目である。また、［蓄積先］項目は、印刷ジョブの蓄積先を示す情報項目（蓄積先情報）であり、印刷制御装置２００を識別する情報項目（サーバ識別情報の項目）である。項目値は、例えば、印刷制御装置２００に割り当てられたネットワーク設定（ＩＰアドレス：Internet Protocol address）の文字列値などがある。つまり、蓄積先管理情報４４Ｄは、［所属］項目で、利用者管理情報４２Ｄと紐付けられており、利用者の所属先（所属する組織や地域）に配置された印刷制御装置２００が、蓄積先として管理されている（印刷ジョブを蓄積するサーバと配置されている所属先とがマッピングされている）。
【００４９】
例えば、蓄積先管理部４３は、蓄積先管理情報保持部４４にアクセスし、ログインした利用者の所属情報に基づき、利用者の所属先に配置された印刷制御装置２００のネットワーク設定（［蓄積先］項目の項目値）を取得する。
【００５０】
このように、画像処理装置１００では、利用者のログイン情報から、利用者の所属（属するエリア）が特定され、特定された所属から、該当する印刷制御装置２００が特定される。
【００５１】
蓄積印刷制御部４５は、印刷制御装置２００に蓄積された印刷ジョブの実行（蓄積印刷）を制御する機能部である。蓄積印刷制御部４５は、利用者に応じて、印刷ジョブを蓄積する印刷制御装置２００への接続を切り替え、適切な印刷制御装置２００から取得した印刷ジョブの情報に基づき、印刷ジョブ一覧を表示する。蓄積印刷制御部４５は、印刷ジョブ一覧を介して、利用者から受け付けた実行要求に従って、該当する印刷ジョブを印刷制御装置２００から取得し、取得した印刷ジョブの実行を指示する。
【００５２】
蓄積印刷制御部４５は、これらの動作を実現するために、機能実行要求受付部４５１、接続先制御部４５２、及び印刷ジョブ取得部４５３などを有する。
【００５３】
機能実行要求受付部４５１は、利用者からの機能実行要求（蓄積印刷の実行要求）を受け付ける機能部である。機能実行要求の受付は、例えば、操作パネル１２０に表示された機能選択ボタンの押下入力検知などにより行える。機能実行要求受付部４５１は、要求を受け付けると、ログイン管理部４１に対して、ログイン情報に基づく利用者管理情報４２Ｄの取得を要求する。これにより、機能実行要求受付部４５１は、ログインした利用者の所属情報を含む利用者管理情報４２Ｄを取得する。
【００５４】
接続先制御部４５２は、ログインした利用者に応じて、印刷制御装置２００への接続を切替制御する機能部である。蓄積印刷制御部４５では、蓄積印刷の実行要求を受け付けると、利用者に対して、実行する印刷ジョブを選択するための印刷ジョブ一覧を表示する。そこで、接続先制御部４５２は、印刷ジョブ一覧の表示情報取得の際に、画像処理装置１００から接続する印刷制御装置２００を、利用者に応じて切替制御する。具体的には、利用者識別情報に基づき、印刷ジョブが蓄積された複数の印刷制御装置２００の中から、ログインした利用者に提供する印刷ジョブ一覧の表示情報を取得する印刷制御装置２００を決定する。
【００５５】
接続先制御部４５２は、次のようにして印刷制御装置２００（接続先）を決定する。接続先制御部４５２は、蓄積先管理部４３に対して、利用者管理情報４２Ｄに含まれる所属情報に基づく蓄積先情報（サーバ識別情報）の取得を要求する。これにより、接続先制御部４５２は、ログインした利用者の所属先（所属する組織や地域）に配置された１又は複数の印刷制御装置２００のネットワーク設定を取得する。その結果、接続先制御部４５２は、ネットワーク設定から特定される印刷制御装置２００を、印刷ジョブ一覧の表示情報を取得する際の接続先として決定し、ネットワーク設定を接続先情報として設定する。
【００５６】
このように、画像処理装置１００では、印刷ジョブを蓄積する複数の印刷制御装置２００の中から、利用者の所属先に配置された印刷制御装置２００を接続先に決定する。この印刷制御装置２００を接続先に決定する理由は、次の通りである。利用者が実行したい印刷ジョブの蓄積先は、主に利用者の所属先に配置された印刷制御装置２００である。そのため、画像処理装置１００では、この印刷制御装置２００を、印刷ジョブ一覧の表示情報の取得先とすることで、利用者が実行したい印刷ジョブを選択可能な環境を提供することができる。
【００５７】
印刷ジョブ取得部４５３は、実行要求された印刷ジョブを印刷制御装置２００から取得する機能部である。印刷ジョブ取得部４５３は、利用者に対して、印刷ジョブ一覧を表示し、印刷ジョブ一覧から選択された印刷ジョブを、印刷制御装置１００から取得する。印刷ジョブ取得部４５３は、これらの動作を実現するために、一覧表示部５１及び実行ジョブ選択受付部５２などを有する。
【００５８】
一覧表示部５１は、利用者が蓄積した印刷ジョブの一覧を表示する機能部である。一覧表示部５１は、接続先情報のネットワーク設定に従って、接続先として決定した１又は複数の印刷制御装置２００にアクセスし、利用者識別情報に基づく印刷ジョブ（利用者の印刷ジョブ）の情報を取得する。取得する印刷ジョブの情報には、例えば、「印刷ジョブ名」などの印刷ジョブを識別する情報（以下「印刷ジョブ識別情報」と言う）や、「ページ数」などの書誌情報などがあり、取得した印刷ジョブの情報が、利用者ごとに提供される印刷ジョブ一覧の表示情報にあたる。一覧表示部５１は、取得した印刷ジョブの情報に基づき、印刷ジョブを選択可能なＧＵＩ（Graphical User Interface）を含む印刷ジョブ一覧画面（実行ジョブ選択画面）を生成し、操作パネル１２０に表示する。
【００５９】
実行ジョブ選択受付部５２は、実行する印刷ジョブ（以下「実行ジョブ」と言う）の選択指定を受け付ける機能部である。実行ジョブ選択指定の受付は、例えば、操作パネル１２０に表示された印刷ジョブ選択ボタンの押下入力検知などにより行える。
【００６０】
印刷ジョブ取得部４５３は、選択指定を受け付けると、該当する印刷ジョブを保持している印刷制御装置２００（印刷ジョブ管理部）に対して、印刷ジョブ識別情報に基づく印刷ジョブのデータ取得を要求する。これにより、印刷ジョブ取得部４５３は、ログインした利用者から選択指定された（実行要求された）印刷ジョブのデータを取得する。その結果、印刷ジョブ取得部４５３は、取得した印刷ジョブの実行を指示する。
【００６１】
印刷実行部４６は、印刷ジョブを実行する機能部である。印刷実行部４６は、動作指示に従って、印刷ジョブに含まれる印刷条件及び印刷データ（ＰＤＬデータ：Page Description Language data）などに基づく印刷動作を実行する。印刷は、例えば、プロッタ１３０により行われる。
【００６２】
このように、画像処理装置１００では、利用者に応じて、印刷ジョブを蓄積する印刷制御装置２００（利用者の所属先に配置された印刷制御装置）への接続が切り替えられ、適切な印刷制御装置２００から印刷ジョブ一覧の表示情報が取得される。その結果、画像処理装置１００では、印刷ジョブを蓄積する印刷制御装置２００が複数存在する場合でも、利用者が実行したい印刷ジョブを選択できる。
【００６３】
以上のように、本実施形態に係る印刷制御機能は、上記各機能部が連携動作することにより実現される。なお、本実施形態に係る印刷制御機能は、システム１を構成する各機器に搭載（インストール）されるプログラム（印刷制御機能を実現するソフトウェア）が、処理装置（例えば「ＣＰＵ」）により、記憶装置（例えば「ＨＤＤ」や「ＲＯＭ」など）からメモリ（ＲＡＭ）上に読み出され、各機器において、以下の処理が実行されることで実現される。
【００６４】
本実施形態に係る印刷制御機能の詳細な動作（機能部群の連携動作）について、処理手順を示すシーケンス図を用いて説明する。
【００６５】
《印刷制御の主な処理》
図６は、本実施形態に係る印刷制御の処理手順例を示すシーケンス図である。
図６に示すように、画像処理装置１００は、機能実行要求受付部４５１により、ログインした利用者から、機能選択画面を介して蓄積印刷の実行要求を受け付ける（ステップＳ１０１）。
【００６６】
機能実行要求受付部４５１は、ログイン管理部４１に対して、利用者管理情報４２Ｄの取得を要求する（ステップＳ１０２）。このとき、機能実行要求受付部４５１は、ログインした利用者の利用者識別情報をログイン管理部４１に渡し、情報取得要求を行う。その結果、ログイン管理部４１は、利用者管理情報保持部４２にアクセスし、利用者識別情報に基づき、該当する利用者管理情報４２Ｄを取得し、要求元に応答する。ログイン管理部４１は、例えば、ログインした利用者が"ＵｓｅｒＡ"であった場合、利用者識別情報に対応する連絡先情報とともに、所属情報"Ｔｏｋｙｏ"を応答する。
【００６７】
続いて、機能実行要求受付部４５１は、接続先制御部４５２に対して、利用者に応じた接続先（印刷ジョブ一覧の表示情報取得先）の決定を要求する（ステップＳ１０３）。このとき、機能実行要求受付部４５１は、取得した利用者管理情報４２Ｄに含まれる利用者識別情報及び所属情報を渡し、接続先決定要求を行う。
【００６８】
これを受けて接続先制御部４５２は、蓄積先管理部４３に対して、蓄積先情報の取得を要求する（ステップＳ１０４）。このとき、接続先制御部４５２は、ログインした利用者の所属情報を蓄積先管理部４３に渡し、情報取得要求を行う。その結果、蓄積先管理部４３は、蓄積先管理情報保持部４４にアクセスし、所属情報に基づき、該当する蓄積先情報（印刷制御装置のネットワーク設定）を取得し、要求元に応答する。蓄積先管理部４３は、例えば、所属情報"Ｔｏｋｙｏ"を受け取ると、所属情報に対応する蓄積先情報のネットワーク設定"００１．００２．００３．０１０"を応答する。
【００６９】
これにより、接続先制御部４５２は、蓄積先情報のネットワーク設定から特定される印刷制御装置２００を、印刷ジョブ一覧の表示情報を取得する際の接続先として決定する（ステップＳ１０５）。このとき、接続先制御部４５２は、取得した蓄積先情報のネットワーク設定を接続先情報として設定する。接続先制御部４５２は、例えば、ログインした利用者が"ＵｓｅｒＡ"であった場合、所属情報"Ｔｏｋｙｏ"に基づき取得した蓄積先情報のネットワーク設定"００１．００２．００３．０１０"を、利用者"ＵｓｅｒＡ"の接続先情報として設定する。このようにして、接続先制御部４５２は、印刷ジョブが蓄積された複数の印刷制御装置２００の中から、利用者の所属先に配置された印刷制御装置２００を、利用者に提供する印刷ジョブ一覧の表示情報を取得する印刷制御装置２００として決定する。
【００７０】
続いて、接続先制御部４５２は、印刷ジョブ取得部４５３に対して、ログインした利用者の印刷ジョブ一覧の表示を要求する（ステップＳ１０６）。このとき、接続先制御部４５２は、利用者識別情報及び接続先情報を渡し、印刷ジョブ一覧表示要求を行う。
【００７１】
これを受けて印刷ジョブ取得部４５３は、接続先情報のネットワーク設定に従って、印刷制御装置２００にアクセスし、印刷ジョブ管理部２２に対して、印刷ジョブの表示情報の取得を要求する（ステップＳ１０７）。このとき、印刷ジョブ取得部４５３は、ログインした利用者の利用者識別情報を印刷ジョブ管理部２２に渡し、情報取得要求を行う。その結果、印刷ジョブ管理部２２は、印刷ジョブ保持部２３にアクセスし、利用者識別情報に基づき、該当する印刷ジョブの情報（印刷ジョブ識別情報や書誌情報など）を取得し、要求元に応答する。
【００７２】
続いて、印刷ジョブ取得部４５３は、一覧表示部５１により、取得した印刷ジョブの情報に基づき、ログインした利用者の印刷ジョブ一覧画面（実行ジョブ選択画面）を生成し、操作パネル１２０に表示する（ステップＳ１０８）。
【００７３】
また、印刷ジョブ取得部４５３は、実行ジョブ選択受付部５２により、表示された印刷ジョブ一覧画面（実行ジョブ選択画面）を介して、ログインした利用者からの実行ジョブの選択指定を受け付ける（ステップＳ１０９）。その結果、印刷ジョブ取得部４５３は、接続先情報のネットワーク設定に従って、実行ジョブを保持している印刷制御装置２００にアクセスし、印刷ジョブ管理部２２に対して、印刷ジョブのデータ取得を要求する（ステップＳ１１０）。このとき、印刷ジョブ取得部４５３は、ログインした利用者に選択指定された実行ジョブの印刷ジョブ識別情報を印刷ジョブ管理部２２に渡し、データ取得要求を行う。その結果、印刷ジョブ管理部２２は、印刷ジョブ保持部２３にアクセスし、印刷ジョブ識別情報に基づき、該当する印刷ジョブのデータ（印刷条件及びＰＤＬ定義などを含むデータ）を取得し、要求元に応答する。
【００７４】
続いて、印刷ジョブ取得部４５３は、印刷実行部４６に対して、取得した印刷ジョブの実行を指示する（ステップＳ１１１）。このとき、印刷ジョブ取得部４５３は、取得した印刷ジョブのデータを印刷実行部４６に渡し、印刷実行指示を行う。その結果、印刷実行部４６は、動作指示に従って、印刷ジョブのデータに基づく印刷動作を実行する（ステップＳ１１２）。
【００７５】
このように、画像処理装置１００では、印刷ジョブを蓄積する印刷制御装置２００が複数存在する場合でも、利用者が実行したい印刷ジョブを選択でき、所望する印刷ジョブを実行できる。
【００７６】
＜変形例＞
ここからは、上記実施形態の変形例について説明する。
図７は、本変形例に係る印刷制御システム１の構成例を示す図である。
図７には、画像処理装置１００、印刷制御装置２００、及び端末３００に加えて、認証管理装置４００が接続されるシステム構成例が示されている。認証管理装置４００は、利用者の認証情報などを含む利用者に関する情報を管理する情報処理装置であり、例えば、利用者のログイン情報や認証情報などを管理するＬＤＡＰサーバ（Lightweight Directory Access Protocol Server）などである。
【００７７】
このような印刷制御システム１では、次のような機能構成となる。
図８は、本変形例に係る印刷制御システム１の機能構成例を示す図である。
図８に示すように、印刷制御システム１は、画像処理装置１００が有していたログイン管理部４１及び蓄積先管理部４３を、認証管理装置４００が有する機能構成となる。
【００７８】
よって、印刷制御システム１では、画像処理装置１００と認証管理装置４００との間で、利用者の利用者管理情報４２Ｄや利用者の所属に基づく蓄積先情報の授受などが行われる。
【００７９】
これにより、印刷制御システム１では、上記実施形態と同様の印刷制御機能を実現できる。なお、認証管理装置４００が蓄積先管理部４３を有する理由は、次の通りである。蓄積先管理情報４４Ｄは、利用者の所属情報により、利用者管理情報４２Ｄと紐付いて管理されている。そのため、管理者によるデータ管理・運用に係る作業効率や負担軽減の観点から、同一機器内で両方のデータを管理することが望ましい。つまり、関連する管理情報を、同一機器で一括管理する方が、管理作業を簡便にすることができる。
【００８０】
《印刷制御における印刷ジョブ取得の処理》
図９は、本変形例に係る印刷制御の処理手順例を示すシーケンス図である。
図９と図６に示す処理手順との違いは、上述した通り、利用者管理情報４２Ｄ及び蓄積先情報の取得に係る処理（ステップＳ２０２，Ｓ２０４）である。よって、以下には、異なる処理手順のみを説明する。
【００８１】
画像処理装置１００が有する機能実行要求受付部４５１は、認証管理装置４００が有するログイン管理部４１に対して、利用者管理情報４２Ｄの取得を要求する（ステップＳ２０２）。その結果、認証管理装置４００から画像処理装置１００には、利用者識別情報に基づき取得された利用者管理情報４２Ｄが応答される。
【００８２】
また、画像処理装置１００が有する接続先制御部４５２は、認証管理装置４００が有する蓄積先管理部４３に対して、蓄積先情報の取得を要求する（ステップＳ２０４）。その結果、認証管理装置４００から画像処理装置１００には、所属情報に基づき取得された蓄積先情報（印刷制御装置のネットワーク設定）が応答される。
【００８３】
なお、画像処理装置１００では、これらの処理を行う際、予め設定されたネットワーク設定（例えば「ＩＰアドレス」）に従って、認証管理装置４００にアクセスし、取得情報を特定するための情報（例えば「利用者識別情報」や「所属情報」など）を渡し、情報取得要求が行われる。
【００８４】
＜まとめ＞
以上のように、本実施形態に係る画像処理装置１００によれば、蓄積印刷制御部４５の機能実行要求受付部４５１が、ログインした利用者から蓄積印刷機能の実行要求を受け付けると、接続先制御部４５２が、利用者識別情報に基づき、印刷ジョブが蓄積された複数の印刷制御装置２００の中から、利用者に提供する印刷ジョブ一覧の表示情報を取得する印刷制御装置２００を決定する。つまり、画像処理装置１００は、印刷ジョブ一覧の表示情報取得の際に当該装置から接続する印刷制御装置２００（接続先）を、利用者に応じて切替制御する。
【００８５】
その結果、画像処理装置１００は、蓄積印刷制御部４５の印刷ジョブ取得部４５３が、接続先である印刷制御装置２００から取得した印刷ジョブの情報に基づき、印刷ジョブ一覧を表示する。画像処理装置１００は、印刷ジョブ取得部４５３が、印刷ジョブ一覧を介して、利用者から印刷ジョブの実行要求を受け付けると、実行要求された印刷ジョブを印刷制御装置２００から取得する。画像処理装置１００は、取得した印刷ジョブを蓄積印刷制御部４５から印刷実行部４６へと渡し、印刷実行部４６により印刷ジョブを実行する。
【００８６】
これによって、本実施形態に係る画像処理装置１００は、印刷ジョブを蓄積する印刷制御装置２００が複数存在する場合でも、利用者が実行したい印刷ジョブを選択でき、所望する印刷ジョブを実行できる。
【００８７】
［第２の実施形態］
本実施形態では、利用者の所属範囲（属するエリア領域）を段階的に拡げ、印刷ジョブ一覧の表示情報を取得する接続先候補となる印刷制御装置を増やし、利用者が、所望する印刷ジョブを選択可能な環境を提供する機能構成について説明する。なお、以降では、第１の実施形態と異なる事項についてのみ説明を行い、同じ事項については、同一の参照符号を付し、その説明を省略するものとする。
【００８８】
本実施形態に係る印刷制御機能は、利用者の所属先に配置された印刷制御装置２００から取得した印刷ジョブ一覧の表示情報に、利用者が所望する印刷ジョブが含まれていない場合を想定したものである。例えば、利用者の所属先が"Ｔｏｋｙｏ"の場合、利用者の印刷ジョブは、通常、"Ｔｏｋｙｏ"に配置された印刷制御装置２００に蓄積される場合が多い。しかし、印刷ジョブを、出向く先となる"Ｏｓａｋａ"に配置された印刷制御装置２００に蓄積する利用者の存在も考えられる。この場合、"Ｔｏｋｙｏ"だけでなく"Ｏｓａｋａ"にまで範囲を拡げ、接続先候補となる印刷制御装置２００を特定し、特定した印刷制御装置２００から、利用者に提供する印刷ジョブ一覧の表示情報を取得し、利用者が所望する印刷ジョブを選択可能な環境を提供することが望ましい。
【００８９】
以下に、本実施形態に係る印刷制御機能について説明する。
図１０は、本実施形態に係る蓄積先管理情報４４Ｄのデータ例を示す図である。
図１０には、所属範囲を管理する情報（以下「所属管理情報」と言う）を含む蓄積先管理情報４４Ｄ１，４４Ｄ２（以下総称する場合「蓄積先管理情報４４Ｄ」と言う）のデータ例が示されている。（Ａ）には、第１の実施形態と同様に、利用者の所属情報と蓄積先情報（所属先に配置された印刷制御装置のネットワーク設定）とが対応付けられた示す蓄積先管理情報４４Ｄ１が示されている。一方、（Ｂ）には、所属範囲が段階的に定義（階層構造で定義）された所属管理情報４４Ｄ２が示されている。
【００９０】
例えば、（Ｂ）に示す所属管理情報４４Ｄ２には、３段階の所属範囲（エリア１，２，３の各情報項目の項目値）が定義されている。［エリア１］項目、［エリア２］項目、［エリア３］項目の関係は、次の通りである。［エリア３］項目に定義された所属範囲を［エリア２］項目に定義された所属範囲が包含し、［エリア２］項目に定義された所属範囲を［エリア３］項目に定義された所属範囲が包含する関係となっている。
【００９１】
例えば、（Ｂ）に示す管理データでは、まず、［エリア３］項目（第３階層：最下層）に、"Ｔｏｋｙｏ"、"Ｋａｎａｇａｗａ"、及び"Ｏｓａｋａ"などの所属範囲が定義されている。つまり、［エリア３］項目の項目値（利用者の所属先）は、（Ａ）に示す蓄積先管理情報４４Ｄ１の［所属］項目の項目値と同じである。また、［エリア２］項目（第２階層）には、これらの所属先をグループ化した"Ｊａｐａｎ"と言う所属範囲（第３階層に定義された範囲より広域な所属範囲）が定義されている。また、［エリア３］項目（第１階層：最上層）には、さらに、"Ｊａｐａｎ"、"Ｍｏｎｇｌｉａ"、及び"Ｃｈａｉｎａ"などの所属先をグループ化した"Ａｓｉａ"と言う所属範囲（第２階層に定義された範囲より広域な所属範囲）が定義されている。
【００９２】
このように、画像処理装置１００では、上記所属管理情報４４Ｄ２を含む蓄積先管理情報４４Ｄを用いて、利用者の所属範囲を段階的に拡げ、印刷ジョブ一覧の表示情報を取得する接続先候補となる印刷制御装置２００を増やし、利用者が、所望する印刷ジョブを選択可能な印刷ジョブ一覧の再表示を行う。
【００９３】
以下に、本実施形態に係る印刷制御機能の具体的な処理について説明する。なお、本実施形態に係る印刷制御機能は、第１の実施形態で説明を行った各機能部が連携動作することにより実現される。
【００９４】
図１１は、本実施形態に係る印刷制御の処理手順例を示すフローチャートである。なお、以下の処理手順では、画像処理装置１００における所属管理情報４４Ｄ２を用いた印刷ジョブの一覧再表示に係る処理（主に接続先制御部と印刷ジョブ取得部との間で行われる処理）を中心に説明する。
図１１に示すように、画像処理装置１００は、印刷ジョブ取得部４５３が、接続先制御部４５２からの印刷ジョブ一覧の表示要求を受け付けると（ステップＳ３０１：ＹＥＳ）、接続先情報のネットワーク設定に従って、該当する印刷制御装置２００にアクセスし、利用者識別情報に基づき、印刷ジョブ一覧の表示情報を取得する（ステップＳ３０２）。
【００９５】
その結果、画像処理装置１００では、一覧表示部５１により、取得情報（印刷ジョブの情報）に基づく印刷ジョブ一覧（実行ジョブ選択画面）が表示される（ステップＳ３０３）。
【００９６】
続いて、画像処理装置１００は、実行ジョブ選択受付部５２が、表示画面を介して、利用者からの実行ジョブの選択指定を受け付けた場合（ステップＳ３０４：ＹＥＳ）、印刷ジョブ取得部５４３により、接続先設定のネットワーク設定に従って、該当する印刷制御装置２００にアクセスし、実行ジョブの印刷ジョブ識別情報に基づき、印刷ジョブのデータを取得する（ステップＳ３１５）。
【００９７】
また、画像処理装置１００は、印刷ジョブ取得部４５３が、表示画面を介して、利用者からの接続先再設定要求（印刷ジョブ一覧再表示要求）を受け付けた場合（ステップＳ３０４：ＮＯ、Ｓ３０５：ＹＥＳ）、ステップＳ３０６の判定処理に移行する。なお、印刷ジョブ取得部４５３は、実行ジョブの選択指定又は接続先再設定要求を受け付けない間（ステップＳ３０４，Ｓ３０５：ＮＯ）、ステップＳ３０４，Ｓ３０５の処理を繰り返す。
【００９８】
画像処理装置１００は、接続先再設定要求を受け付けると、印刷ジョブ取得部４５３から接続先制御部４５２に対して、所属範囲［エリア１］及び［エリア２］における接続先特定が実行されたか否かの判定を要求する（ステップＳ３０６）。
【００９９】
画像処理装置１００は、接続先制御部４５２が、所属範囲［エリア２］における接続先特定を実行していないと判定した場合（ステップＳ３０６：ＮＯ：エリア２：未実施）、同機能部４５２により、現在の接続先に対応する所属範囲［エリア３］（第３階層）を含む１段階上位の所属範囲［エリア２］（第２階層）を特定する（ステップＳ３０７）。このとき、接続先制御部４５２は、次のように所属範囲［エリア２］を特定する。
【０１００】
例えば、"Ｔｏｋｙｏ"に配置された印刷制御装置２００のネットワーク設定が接続先情報として設定されていた場合に、利用者から接続先再設定要求を受け付けたとする。接続先制御部４５２は、現在の接続先に対応する所属情報"Ｔｏｋｙｏ"に基づき、蓄積先管理部４３に対して、"Ｔｏｋｙｏ"を含む所属範囲［エリア２］の項目値の取得を要求する。その結果、蓄積先管理部４３からは、所属管理情報４４Ｄ２に基づき、該当する所属範囲［エリア２］の項目値"Ｊａｐａｎ"が応答される。接続先制御部４５２は、蓄積先管理部４３からの応答を受けて、"Ｔｏｋｙｏ"を含む所属範囲［エリア２］を特定する。
【０１０１】
続いて、画像処理装置１００は、接続先制御部４５２により、特定した所属範囲［エリア２］に含まれる所属範囲［エリア３］の中から、現在の接続先に対応する所属範囲［エリア３］と異なる範囲を特定する（ステップＳ３０８）。このとき、接続先制御部４５２は、次のように所属範囲［エリア３］を特定する。
【０１０２】
例えば、"Ｊａｐａｎ"が所属範囲［エリア２］として特定されたとする。接続先制御部４５２は、現在の接続先に対応する所属情報"Ｔｏｋｙｏ"及び応答された所属情報"Ｊａｐａｎ"に基づき、蓄積先管理部４３に対して、"Ｊａｐａｎ"に含まれる所属範囲［エリア３］の中から、"Ｔｏｋｙｏ"以外の所属範囲［エリア３］の項目値の取得を要求する。その結果、蓄積先管理部４３からは、所属管理情報４４Ｄ２に基づき、該当する所属範囲［エリア３］の項目値"Ｋａｎａｇａｗａ"及び"Ｏｓａｋａ"が応答される。接続先制御部４５２は、蓄積先管理部４３からの応答を受けて、"Ｔｏｋｙｏ"以外の所属範囲［エリア３］を特定する。
【０１０３】
続いて、画像処理装置１００は、接続先制御部４５２により、特定した所属範囲［エリア３］に対応する接続先（新たな接続先候補）を特定する（ステップＳ３０９）。このとき、接続先制御部４５２は、次のように接続先を特定する。
【０１０４】
例えば、"Ｋａｎａｇａｗａ"及び"Ｏｓａｋａ"が"Ｔｏｋｙｏ"以外の所属範囲［エリア３］として特定されたとする。接続先制御部４５２は、応答された所属情報"Ｋａｎａｇａｗａ"及び"Ｏｓａｋａ"に基づき、蓄積先管理部４３に対して、これらの［所属］項目に対応付けて管理されている［蓄積先］項目の項目値の取得を要求する。その結果、蓄積先管理部４３からは、蓄積先管理情報４４Ｄ１に基づき、該当する［蓄積先］項目の項目値"００１．００２．００３．０１１"及び"００１．００２．００３．０１２"が応答される。接続先制御部４５２は、蓄積先管理部４３からの応答を受けて、"Ｋａｎａｇａｗａ"及び"Ｏｓａｋａ"それぞれに対応する接続先（所属範囲に設置された印刷制御装置）を、新たな接続先候補として特定し、接続先情報の設定を更新する。
【０１０５】
画像処理装置１００は、接続先制御部４５２が、対応する接続先が存在しないと判定した場合（ステップＳ３１０：ＮＯ）、印刷ジョブ取得部４５３による所定のエラー処理を行う（ステップＳ３１１）。つまり、画像処理装置１００では、現在の接続先に対応する所属範囲［エリア３］と異なる範囲、又は対応する接続先が特定できなければ、利用者に対して、新たな接続先から取得した情報に基づく印刷ジョブ一覧が提供できないため、エラー処理を行う。
【０１０６】
また、画像処理装置１００は、接続先制御部４５２が、対応する接続先が存在すると判定した場合（ステップＳ３１０：ＹＥＳ）、ステップＳ３０２の処理に移行し、印刷ジョブ取得部４５３により、新たな接続先から印刷ジョブ一覧の表示情報を取得する。これにより、画像処理装置１００では、ステップＳ３０３の処理（一覧表示部）により、新たな選択候補の印刷ジョブを含む印刷ジョブ一覧が表示される。
【０１０７】
画像処理装置１００は、ステップＳ３０５の処理（印刷ジョブ取得部）により、再び、接続先再設定要求を受け付けると、所属範囲［エリア１］及び［エリア２］における接続先特定が実行されたか否かの判定を要求する。
【０１０８】
その結果、画像処理装置１００では、接続先制御部４５２が、所属範囲［エリア２］の接続先特定を実行し、所属範囲［エリア１］の接続先特定を実行していないと判定する（ステップＳ３０６：ＮＯ：エリア１：未実施）。
【０１０９】
画像処理装置１００は、接続先制御部４５２により、現在の所属範囲［エリア２］（第２階層）を含む１段階上位の所属範囲［エリア１］（第１階層）を特定する（ステップＳ３１２）。このとき、接続先制御部４５２は、次のように所属範囲［エリア１］を特定する。
【０１１０】
例えば、"Ｊａｐａｎ"が所属範囲［エリア２］として特定されていた場合に、利用者から接続先再設定要求を受け付けたとする。接続先制御部４５２は、現在の所属情報"Ｊａｐａｎ"に基づき、蓄積先管理部４３に対して、"Ｊａｐａｎ"を含む所属範囲［エリア１］の項目値の取得を要求する。その結果、蓄積先管理部４３からは、所属管理情報４４Ｄ２に基づき、該当する所属範囲［エリア１］の項目値"Ａｓｉａ"が応答される。接続先制御部４５２は、蓄積先管理部４３からの応答を受けて、"Ｊａｐａｎ"を含む所属範囲［エリア１］を特定する。
【０１１１】
続いて、画像処理装置１００は、接続先制御部４５２により、特定した所属範囲［エリア１］に含まれる所属範囲［エリア２］の中から、現在の所属範囲［エリア２］と異なる範囲を特定する（ステップＳ３１３）。このとき、接続先制御部４５２は、次のように所属範囲［エリア２］を特定する。
【０１１２】
例えば、"Ａｓｉａ"が所属範囲［エリア１］として特定されたとする。接続先制御部４５２は、現在の所属情報"Ｊａｐａｎ"及び応答された所属情報"Ａｓｉａ"に基づき、蓄積先管理部４３に対して、"Ａｓｉａ"に含まれる所属範囲［エリア１］の中から、"Ｊａｐａｎ"以外の所属範囲［エリア２］の項目値の取得を要求する。その結果、蓄積先管理部４３からは、所属管理情報４４Ｄ２に基づき、該当する所属範囲［エリア２］の項目値"Ｍｏｎｇｏｌｉａ"及び"Ｃｈｉｎａ"が応答される。接続先制御部４５２は、蓄積先管理部４３からの応答を受けて、"Ｊａｐａｎ"以外の所属範囲［エリア２］を特定する。
【０１１３】
画像処理装置１００は、接続先制御部４５２が、該当する所属範囲［エリア２］が存在しないと判定した場合（ステップＳ３１４：ＮＯ）、印刷ジョブ取得部４５３による所定のエラー処理を行う。つまり、画像処理装置１００では、現在の所属範囲［エリア２］と異なる範囲が特定できなければ、利用者に対して、新たな接続先から取得した情報に基づく印刷ジョブ一覧が提供できないため、エラー処理を行う。
【０１１４】
また、画像処理装置１００は、接続先制御部４５２が、該当する所属範囲［エリア２］が存在すると判定した場合（ステップＳ３１４：ＹＥＳ）、ステップＳ３０８の処理に移行し、接続先制御部４５２により、特定された所属範囲［エリア２］に含まれる所属範囲［エリア３］に対応する接続先を、新たな接続候補として特定する。これにより、画像処理装置１００では、新たな接続先候補により、接続先情報の設定が更新される。
【０１１５】
例えば、"Ｍｏｎｇｏｌｉａ"及び"Ｃｈｉｎａ"が"Ｊａｐａｎ"以外の所属範囲［エリア２］として特定されたとする。接続先制御部４５２は、応答された所属情報"Ｍｏｎｇｏｌｉａ"及び"Ｃｈｉｎａ"に基づき、蓄積先管理部４３に対して、"Ｍｏｎｇｏｌｉａ"及び"Ｃｈｉｎａ"に含まれる所属範囲［エリア３］の項目値の取得を要求する。その結果、蓄積先管理部４３からは、所属管理情報４４Ｄ２に基づき、該当する所属範囲［エリア３］の項目値"Ｕｌａａｎｂａａｔａｒ"及び"Ｓｈａｎｇｈａｉ"が応答される。接続先制御部４５２は、蓄積先管理部４３からの応答を受けて、"Ｍｏｎｇｏｌｉａ"及び"Ｃｈｉｎａ"それぞれに対応する所属範囲［エリア３］を特定する。
【０１１６】
続いて、接続先制御部４５２は、応答された所属情報"Ｕｌａａｎｂａａｔａｒ"及び"Ｓｈａｎｇｈａｉ"に基づき、蓄積先管理部４３に対して、これらの［所属］項目に対応付けて管理されている［蓄積先］項目の項目値の取得を要求する。その結果、蓄積先管理部４３からは、蓄積先管理情報４４Ｄ１に基づき、該当する［蓄積先］項目の項目値"００１．００２．００３．０１３"及び"００１．００２．００３．０１４"が応答される。接続先制御部４５２は、蓄積先管理部４３からの応答を受けて、"Ｕｌａａｎｂａａｔａｒ"及び"Ｓｈａｎｇｈａｉ"それぞれに対応する接続先（所属範囲に設置された印刷制御装置）を、新たな接続先候補として特定し、接続先情報の設定を更新する。
【０１１７】
以降、画像処理装置１００は、ステップＳ３１０の処理に移行し、接続先制御部４５２により、対応する接続先の存在有無を判定する。
【０１１８】
画像処理装置１００は、接続先制御部４５２が、対応する接続先が存在すると判定した場合、ステップＳ３０２の処理に移行し、印刷ジョブ取得部４５３により、新たな接続先から印刷ジョブ一覧の表示情報を取得する。これにより、画像処理装置１００では、ステップＳ３０３の処理（一覧表示部）により、新たな選択候補の印刷ジョブを含む印刷ジョブ一覧が表示される。
【０１１９】
このように、画像処理装置１００では、利用者の所属範囲を段階的に拡げ、接続先候補となる印刷制御装置２００を増やし、利用者が、所望する印刷ジョブを選択可能な環境を提供する。
【０１２０】
なお、上記エラー処理には、例えば、利用者に対してエラーの旨を通知する情報表示処理などがある。また、ステップＳ３１１の処理は、次のようなエラー対応処理であってもよい。例えば、画像処理装置１００に予め設定しておいた接続先情報（デフォルト設定）を有効にする対応処理や、予め決めておいた優先順位に従って所属範囲［エリア２］又は［エリア１］を特定する対応処理などである。このように、ステップＳ３１１の処理については、利用者の利便性を考慮した処理であればよい。
【０１２１】
＜まとめ＞
以上のように、本実施形態に係る画像処理装置１００によれば、利用者に応じて、印刷ジョブを蓄積する印刷制御装置２００への接続を切り替え、適切な印刷制御装置２００から印刷ジョブ一覧の表示情報を取得する。その中で、画像処理装置１００は、利用者から接続先の再設定要求（印刷ジョブ一覧の再表示要求）を受け付けると、利用者の所属範囲を段階的に拡げ、接続先候補となる印刷制御装置２００を増やし、利用者が、所望する印刷ジョブを選択可能な印刷ジョブ一覧の再表示を行う。つまり、画像処理装置１００では、接続先を再設定する際に、ランダムに特定した接続先候補を設定するのではなく、現在、接続している印刷制御装置２００に関連する他の接続先（例えば「同じ所属範囲内の異なる接続先」など）を動的に特定し、接続先候補として設定する（予測設定を行う）。
【０１２２】
これによって、本実施形態に係る画像処理装置１００では、第１の実施形態と同様の効果を奏するとともに、接続先再設定による印刷ジョブ一覧の再表示を効率的に行え、利用者の利便性が向上する。
【０１２３】
なお、上記実施形態では、利用者の所属範囲に「地域エリア」が定義された所属管理情報４４Ｄ１を用いて、接続先再設定による印刷ジョブ一覧の再表示を行う例を示したが、この限りでない。利用者の所属範囲は、例えば、「会社名」や「組織名」により定義してもよい。このように、所属管理情報４４Ｄ１の項目値は、利用者の所属範囲が段階的（階層的）に定義可能な項目値であればよい。
【０１２４】
［第３の実施形態］
本実施形態では、印刷ジョブが蓄積される際に記録された情報（以下「蓄積記録情報」と言う）に基づく印刷ジョブ一覧を表示し、選択指定された実行ジョブの蓄積先情報に基づき、該当する印刷ジョブのデータを取得する印刷制御装置を決定する機能構成について説明する。なお、以降では、第１の実施形態と異なる事項についてのみ説明を行い、同じ事項については、同一の参照符号を付し、その説明を省略するものとする。
【０１２５】
＜システム構成＞
図１２は、本実施形態に係る印刷制御システム１の構成例を示す図である。
図１２には、画像処理装置１００、印刷制御装置２００、及び端末３００に加えて、ログ管理装置５００が接続されるシステム構成例が示されている。ログ管理装置５００は、印刷制御装置２００に蓄積された印刷ジョブの蓄積記録情報（蓄積ログ）を管理する情報処理装置である。
【０１２６】
＜印刷制御機能＞
図１３は、本実施形態に係る印刷制御システム１の機能構成例を示す図である。
図１３に示すように、印刷制御システム１は、印刷制御装置２００が、印刷ジョブ受信部２１及び印刷ジョブ管理部２２に加えて、蓄積記録部２４を有し、ログ管理装置５００が、蓄積ログ管理部６１などを有している。
【０１２７】
《印刷制御装置が有する機能部》
蓄積記録部２４は、印刷制御装置２００に印刷ジョブが蓄積された際に、蓄積された印刷ジョブに関する情報を発行し、記録する機能部である。発行される情報には、例えば、印刷ジョブを蓄積した利用者の識別情報、印刷ジョブの識別情報、蓄積日時、及び蓄積先である印刷制御装置２００のネットワーク設定などがある。蓄積記録部２４は、予め設定されているネットワーク設定に従って、発行された情報を蓄積記録情報としてログ管理装置５００に送信（発行）する。
【０１２８】
《ログ管理装置が有する機能部》
蓄積ログ管理部６１は、要求に応じたデータ操作を行い、印刷ジョブの蓄積記録情報を管理する機能部である。データ操作には、例えば、データ登録（格納）、削除（消去）、変更（上書き）、参照・検索（特定）、及び取得などがある。蓄積ログ管理部６１は、蓄積記録情報を蓄積ログとして保持する蓄積ログ保持部６２にアクセスし、これらのデータ操作を行うことで、蓄積記録情報を管理する。なお、蓄積ログ保持部６２は、ログ管理装置５００が備える記憶装置（例えば「ＨＤＤ」）の所定の記憶領域にあたり、ファイルシステムやＤＢなどによりデータを保持する。
【０１２９】
図１４は、本実施形態に係る蓄積ログ６２Ｄのデータ例を示す図である。
図１４には、利用者識別、印刷ジョブ識別、蓄積日時、及び蓄積先などの各情報項目の項目値が、利用者ごとに対応付けて管理される蓄積ログ６２Ｄのデータ例が示されている。
【０１３０】
［利用者識別］項目は、利用者を識別する情報項目（利用者識別情報の項目）であり、項目値は、例えば、利用者名の文字列値や利用者ＩＤの数値（利用者に対してユニークに割り当てられた数値）などである。また、［印刷ジョブ識別］項目は、印刷ジョブを識別する情報項目（印刷ジョブ識別情報の項目）であり、項目値は、例えば、印刷ジョブ名の文字列値や印刷ジョブＩＤの数値（印刷ジョブに対してユニークに割り当てられた数値）などである。また、［蓄積日時］項目は、印刷ジョブが蓄積された日時を示す情報項目（蓄積日時情報の項目）であり、項目値は、例えば、西暦、年号、日付、及び時刻の文字列値などがある。また、［蓄積先］項目は、印刷ジョブの蓄積先を示す情報項目（蓄積先情報）であり、印刷制御装置２００を識別する情報項目（サーバ識別情報の項目）である。つまり、蓄積ログ６２Ｄは、［利用者識別］項目で、利用者管理情報４２Ｄと紐付けられており、［印刷ジョブ識別］項目及び［蓄積先］項目で、蓄積された印刷ジョブ及び印刷制御装置２００と紐付けられている。
【０１３１】
例えば、蓄積ログ管理部６１は、蓄積ログ保持部６２にアクセスし、利用者のログイン情報に含まれる利用者識別情報に基づき、ログインした利用者に対応する蓄積記録情報（［印刷ジョブ識別］項目、［蓄積日時］項目、及び［蓄積先］項目の項目値）を取得する。
【０１３２】
印刷ジョブ取得部４５３は、蓄積ログ管理部６１に対して、利用者の蓄積ログ６３Ｄ（蓄積記録情報）の取得を要求し、一覧表示部５１により、応答された蓄積ログ６３Ｄに基づき、印刷ジョブ一覧を表示する。つまり、印刷ジョブ取得部４５３は、利用者の蓄積ログ６２Ｄを、印刷ジョブ一覧の表示情報として取得する。印刷ジョブ取得部４５３は、実行ジョブ選択受付部５２により、印刷ジョブ一覧を介して、実行ジョブの選択指定を受け付けると、選択指定された実行ジョブの蓄積記録情報に含まれる［蓄積先］項目の項目値に基づき、該当する印刷ジョブのデータを取得する接続先（印刷制御装置）を決定する。
【０１３３】
このように、画像処理装置１００では、上記蓄積ログ６２Ｄを用いて、印刷ジョブ一覧を表示し、選択指定された実行ジョブの蓄積ログ６２Ｄから、該当する印刷ジョブのデータを取得する接続先を決定する。
【０１３４】
以下に、本実施形態に係る印刷制御機能の具体的な処理について説明する。なお、本実施形態に係る印刷制御機能は、第１の実施形態で説明を行った各機能部及び上記機能部が連携動作することにより実現される。
【０１３５】
図１５は、本実施形態に係る印刷制御の処理手順例を示すシーケンス図である。
図１５に示すように、画像処理装置１００は、機能実行要求受付部４５１により、ログインした利用者から、機能選択画面を介して蓄積印刷の実行要求を受け付ける（ステップＳ４０１）。
【０１３６】
機能実行要求受付部４５１は、印刷ジョブ取得部４５３に対して、ログインした利用者の印刷ジョブ一覧の表示を要求する（ステップＳ４０２）。このとき、機能実行要求受付部４５１は、利用者識別情報を渡し、印刷ジョブ一覧表示要求を行う。
【０１３７】
これを受けて印刷ジョブ取得部４５３は、予め設定されているネットワーク設定に従って、ログ管理装置５００にアクセスし、蓄積ログ管理部６１に対して、印刷ジョブの表示情報の取得を要求する（ステップＳ４０３）。このとき、印刷ジョブ取得部４５３は、ログインした利用者の利用者識別情報を蓄積ログ管理部６１に渡し、情報取得要求を行う。その結果、蓄積ログ管理部６１は、蓄積ログ保持部６２にアクセスし、利用者識別情報に基づき、該当する蓄積記録情報（印刷ジョブ識別情報、蓄積日時情報、及び蓄積先情報など）を取得し、要求元に応答する。
【０１３８】
続いて、印刷ジョブ取得部４５３は、一覧表示部５１により、取得した印刷ジョブの情報に基づき、ログインした利用者の印刷ジョブ一覧画面（実行ジョブ選択画面）を生成し、操作パネル１２０に表示する（ステップＳ４０４）。
【０１３９】
また、印刷ジョブ取得部４５３は、実行ジョブ選択受付部５２により、表示された印刷ジョブ一覧画面（実行ジョブ選択画面）を介して、ログインした利用者からの実行ジョブの選択指定を受け付ける（ステップＳ４０５）。その結果、印刷ジョブ取得部４５３は、選択指定された実行ジョブの蓄積記録情報に含まれる蓄積先情報（［蓄積先］項目の項目値）から特定される印刷制御装置２００を、該当する印刷ジョブのデータを取得する接続先として決定する（ステップＳ４０６）。このとき、印刷ジョブ取得部４５３は、取得した蓄積先情報のネットワーク設定を接続先情報として設定する。
【０１４０】
印刷ジョブ取得部４５３は、接続先情報のネットワーク設定に従って、実行ジョブを保持している印刷制御装置２００にアクセスし、印刷ジョブ管理部２２に対して、印刷ジョブのデータ取得を要求する（ステップＳ４０７）。このとき、印刷ジョブ取得部４５３は、ログインした利用者に選択指定された実行ジョブの印刷ジョブ識別情報を印刷ジョブ管理部２２に渡し、データ取得要求を行う。その結果、印刷ジョブ管理部２２は、印刷ジョブ保持部２３にアクセスし、印刷ジョブ識別情報に基づき、該当する印刷ジョブのデータ（印刷条件及びＰＤＬ定義などを含むデータ）を取得し、要求元に応答する。
【０１４１】
続いて、印刷ジョブ取得部４５３は、印刷実行部４６に対して、取得した印刷ジョブの実行を指示する（ステップＳ４０８）。このとき、印刷ジョブ取得部４５３は、取得した印刷ジョブのデータを印刷実行部４６に渡し、印刷実行指示を行う。その結果、印刷実行部４６は、動作指示に従って、印刷ジョブのデータに基づく印刷動作を実行する（ステップＳ４０９）。
【０１４２】
このように、画像処理装置１００では、印刷ジョブを蓄積する印刷制御装置２００が複数存在する場合でも、利用者が実行したい印刷ジョブを選択でき、所望する印刷ジョブを実行できる。
【０１４３】
＜まとめ＞
以上のように、本実施形態に係る画像処理装置１００によれば、利用者に応じて、実行ジョブのデータを取得する印刷制御装置２００への接続を切り替える。このとき、画像処理装置１００は、印刷ジョブの蓄積ログ６２Ｄ（蓄積記録情報）に基づく印刷ジョブ一覧を表示し、選択指定された実行ジョブの蓄積先情報に基づき、該当する印刷ジョブのデータを取得する印刷制御装置２００を決定する。
【０１４４】
これによって、本実施形態に係る画像処理装置１００では、第１の実施形態と同様の効果を奏することができる。
【０１４５】
ここまで、上記実施形態の説明を行ってきたが、上記実施形態に係る「印刷制御機能」は、図を用いて説明を行った各処理手順を、動作環境（プラットフォーム）にあったプログラミング言語でコード化したプログラムが、システム１を構成する各機器（画像処理装置、印刷制御装置、端末、認証管理装置、及びログ管理装置など）の処理装置（例えば「ＣＰＵ」）により実行されることで実現される。
【０１４６】
例えば、画像処理装置１００の場合、上記プログラムは、コンピュータが読み取り可能な記録媒体１１４ａに格納することができる。これにより、例えば、上記プログラムは、外部記憶Ｉ／Ｆ１１４を介して、画像処理装置１００にインストールすることができる。また、画像処理装置１００は、ネットワークＩ／Ｆ１１３を備えていることから、電気通信回線を用いて上記プログラムをダウンロードし、インストールすることもできる。
【０１４７】
最後に、上記実施形態に挙げた形状や構成に、その他の要素との組み合わせなど、ここで示した要件に、本発明が限定されるものではない。これらの点に関しては、本発明の主旨をそこなわない範囲で変更することが可能であり、その応用形態に応じて適切に定めることができる。
【符号の説明】
【０１４８】
１      印刷制御システム
２１    印刷ジョブ受信部
２２    印刷ジョブ管理部
２３    印刷ジョブ保持部
２４    蓄積記録部
３１    印刷ジョブ送信部
４１    ログイン管理部
４２    利用者管理情報保持部（Ｄ：利用者管理情報）
４３    蓄積先管理部
４４    蓄積先管理情報保持部（Ｄ：蓄積先管理情報）
４５    蓄積印刷制御部
４５１  機能実行要求受付部
４５２  接続先制御部
４５３  印刷ジョブ取得部
４６    印刷実行部
５１    一覧表示部
５２    実行ジョブ選択受付部
６１    蓄積ログ管理部
６２    蓄積ログ保持部（Ｄ：蓄積ログ）
１００  画像処理装置
１１０  コントローラ（制御基板）
１１１  ＣＰＵ（処理装置）
１１２  記憶装置（揮発性・不揮発性の半導体メモリ、大容量記憶装置など）
１１３  ネットワークＩ／Ｆ（ＮＩＣ：Network I/F Card）
１１４  外部記憶Ｉ／Ｆ（ａ：記録媒体）
１２０  操作パネル（表示装置）
１３０  プロッタ
１４０  スキャナ
２００  印刷制御装置（印刷制御サーバ）
３００  情報処理装置（端末）
４００  認証管理装置（認証管理サーバ）
５００  ログ管理装置（ログ管理サーバ）
Ｂ      バス
Ｎ      データ伝送路（ネットワーク）
【先行技術文献】
【特許文献】
【０１４９】
【特許文献１】特開２００８−１０７９２１号公報
【図１】
0005636775.tif 000002
【図２】
0005636775.tif 000003
【図３】
0005636775.tif 000004
【図４】
0005636775.tif 000005
【図５】
0005636775.tif 000006
【図６】
0005636775.tif 000007
【図７】
0005636775.tif 000008
【図８】
0005636775.tif 000009
【図９】
0005636775.tif 000010
【図１０】
0005636775.tif 000011
【図１１】
0005636775.tif 000012
【図１２】
0005636775.tif 000013
【図１３】
0005636775.tif 000014
【図１４】
0005636775.tif 000015
【図１５】
0005636775.tif 000016